(57)【特許請求の範囲】
【請求項１】
セキュリティ対象の状態を検知する少なくとも一つの検知器からの出力もしくは該検知器出力に関連する信号を入力として該セキュリティ対象の状態を示すデータベースを記録・変更・更新する記憶手段と、該記録・変更・更新したデータベースの情報に基づいて前記セキュリティ対象に異常が発生したことを検知する手段と、該異常を検知することによりインターネット網に接続する接続手段とを備えたセキュリティシステムであって、
前記記録・変更・更新されたデータベースの情報に基づいて前記セキュリティ対象に異常が生じたと判断した場合には、該記録・変更・更新したデータベースの情報に基づいてＷｅｂ情報を作成し、該異常を検知することによりインターネット回線を通じてＩＳＰ（情報接続業者）に接続し、該ＩＳＰ（情報接続業者）に接続する度に新しいＩＰアドレスを取得し、該取得した新しいＩＰアドレスに基づいて前記セキュリティ対象の状態を表示するＷｅｂを開設・公開すると共に、予め登録された携帯電話に対して前記取得した新しいＩＰアドレス及び前記セキュリティ対象に異常が発生した旨の情報を通知するように構成したことを特徴とするセキュリティシステム。
【請求項２】
前記セキュリティ対象に異常が生じた場合に、予め登録された複数の携帯電話に対して前記取得した新しいＩＰアドレス及び前記セキュリティ対象に異常が発生した旨の情報を通知することを特徴とする請求項１に記載のセキュリティシステム。
【請求項３】
前記予め登録された携帯電話への通知はＩＳＰ（情報接続業者）およびＡＳＰ（携帯業者）を経由して行うようにしたことを特徴とする請求項１又は請求項２に記載のセキュリティシステム。
【請求項４】
予め設定した時間が経過しても公開されたＷｅｂに登録された携帯電話からのアクセスが無い場合には、回線を切断してＷｅｂの公開を止めることを特徴とする請求項１乃至請求項３の内のいずれか一つの請求項に記載のセキュリティシステム。
【請求項５】
前記Ｗｅｂ公開の切断は、前記携帯電話からの指示によるか、或いは前記携帯電話からのアクセスがあり閲覧を終え当該携帯電話が切断されたら自動的に切断するようにしたことを特徴とする前記請求項１乃至３のいずれか一つの請求項に記載のセキュリティシステム。
【請求項６】
前記請求項１乃至５のいずれか一つの請求項に記載のセキュリティシステムに用いられるセキュリティ制御装置であって、少なくとも一つの検知器からの情報を受け取ることができるように接続され、且つ、インターネットに対して接続可能に構成されているセキュリティ制御装置。
【請求項７】
セキュリティ対象の状態を検知する少なくとも一つの検知器からの出力もしくは該検知器出力に関連する信号を入力として該セキュリティ対象の状態を示すデータベースを記録・変更・更新する記憶機能と、該記録・変更・更新したデータベースの情報に基づいて前記セキュリティ対象に異常が発生したことを検知する機能と、該記録・変更・更新したデータベースの情報に基づいてＷｅｂを作成する機能と、該異常を検知することによりインターネット網を介してＩＳＰ（情報接続業者）に接続し、該ＩＳＰ（情報接続業者）に接続する度に新しいＩＰアドレスを取得する回線する接続機能と、該取得した新しいＩＰアドレスに基づいて前記セキュリティ対象の状態を表示するＷｅｂを開設・公開する機能とを備え、
前記記録・変更・更新されたデータベースの情報に基づいて前記セキュリティ対象に異常が生じたと判断された場合には、予め登録された携帯電話に対して前記取得した新しいＩＰアドレス及び前記セキュリティ対象に異常が発生した旨の情報を通知する機能とを備えたことを特徴とするコンピュータプログラム。
【請求項８】
請求項７に記載のコンピュータプログラムが記録された記録メディア。
【発明の詳細な説明】
【０００１】
本発明はセキュリティシステム、特にパソコンと携帯電話を利用した廉価で簡便なホームセキュリティシステムに関する。また、本発明はセキュリティ制御装置に関し、さらには、コンピュータプログラム及びそのコンピュータプログラムが記録された記録メディアに関する。
【０００２】
【従来の技術】
単一民族で成り立っていた日本は互助精神が働き世界に誇れる安全な国であったが、近代化の波と共に互助の精神が薄れて行き、「隣は何をする人ぞ」と言うように隣人との関係も希薄になってきた。また競争社会の歪とも言える貧富の差が激しくなり、また交通の発達により世界から心無い人達の出入りも容易になって治安は悪化の一途をたどっており、安全をお金で買う時代になってきている。このような時代背景のため警備保障のニーズは年々高まりつつあり、各種機関や商店はもちろんのこと一般家庭でも警備保障会社にセキュリティ管理を依頼するようになって来ている。
【０００３】
図８に警備保障会社のセキュリティシステムの例を示す。契約者が警備保障会社と契約をすると、契約者宅にはセキュリティ対象にセンサつまり検知器１（たとえば人の侵入を検知する玄関扉、窓に設置するマグネット検知器や赤外線検知器、火災検知器等）と、すべての検知器の情報を把握し警備保障会社のコントロールセンタ３に通報するコントロールパネル２が設置される。
【０００４】
図８のシステムではいずれかの検知器に変化（異常）が発生するとコントロールパネル２はその変化（異常）を検知して電話回線を通じてコントロールセンタ３に契約者宅に変化（異常）が発生したことを知らせる。コントロールセンタ３では常時人が監視しておりこのコントロールパネル２からの通報に基づき契約者４とデポ（発進基地）６に異常発生の連絡をする。契約者がその場に居合わせている場合は契約者自身が変化（異常）の確認をすることになるが、契約者がその場に居合わせていない場合は発進基地から警備員が契約者宅に急行して変化（異常）を確認し、必要な場合には警察署もしくは消防署５に通報してしかるべき処置を講じると共に契約者に連絡することとなる。以上の説明から分かるように、契約者は警備保障会社に委託して検知器１やコントロールパネル２を設置しなければならないし、このシステムは２４時間にわたって人が多く介在する必要があり、契約期間中は契約者はこのためのランニング費用を継続して払い続けなければならない。携帯電話を利用したセキュリティシステムは、例えば、特開２００１−２４５０６９号公報、特開２０００−２５１１８１号公報、特開２００１−２９２４４２号公報等にも開示されている。
【０００５】
【発明が解決しようとする課題】
本発明は近年普及が著しいパソコンおよび携帯電話を用い、パソコンのインターネットＷｅｂ機能と携帯電話のＥ−Ｍａｉｌおよびインターネット機能を利用して、人手を介さない安価で簡便なセキュリティシステムを提供するものである。
【０００６】
上記目的を達成するため、本発明のセキュリティシステムは、セキュリティ対象の状態を検知する少なくとも一つの検知器からの出力もしくは該検知器出力に関連する信号を入力として該セキュリティ対象の状態を示すデータベースを記録・変更・更新する記憶手段と、該記録・変更・更新したデータベースの情報に基づいて前記セキュリティ対象に異常が発生したことを検知する手段と、該異常を検知することによりインターネット網に接続する接続手段とを備えたセキュリティシステムであって、
前記記録・変更・更新されたデータベースの情報に基づいて前記セキュリティ対象に異常が生じたと判断した場合には、該記録・変更・更新したデータベースの情報に基づいてＷｅｂ情報を作成し、該異常を検知することによりインターネット回線を通じてＩＳＰ（情報接続業者）に接続してＩＰアドレスを取得し、該取得したＩＰアドレスに基づいて前記セキュリティ対象の状態を表示するＷｅｂを開設・公開すると共に、予め登録された携帯電話に対して前記取得したＩＰアドレス及び前記セキュリティ対象に異常が発生した旨の情報を通知するように構成したことを特徴とする。
【０００７】
また本発明のセキュリティシステムはパソコン等のコンピュータ装置から成り、前記セキュリティ対象に異常が生じた場合に、予め登録された複数の携帯電話に対して前記取得したＩＰアドレス及び前記セキュリティ対象に異常が発生した旨の情報を通知することを特徴とし、少なくとも一つの検知器からの情報を受け取ることができるように接続され、且つ、インターネットに対して接続可能に構成されており、前記予め登録された携帯電話への通知はＩＳＰ（情報接続業者）およびＡＳＰ（携帯業者）を経由して行い、前記Ｗｅｂ公開の切断は、予め設定した時間が経過しても公開されたＷｅｂに登録された携帯電話からのアクセスが無い場合には、回線を切断してＷｅｂの公開を止める要に構成するか、前記携帯電話からの指示によるか、或いは前記携帯電話からのアクセスがあり閲覧を終え当該携帯電話が切断されたら自動的に切断するようにしたことを特徴とする。
【０００８】
さらに、本発明のコンピュータプログラムは、セキュリティ対象の状態を検知する少なくとも一つの検知器からの出力もしくは該検知器出力に関連する信号を入力として該セキュリティ対象の状態を示すデータベースを記録・変更・更新する記憶機能と、該記録・変更・更新したデータベースの情報に基づいて前記セキュリティ対象に異常が発生したことを検知する機能と、該記録・変更・更新したデータベースの情報に基づいてＷｅｂを作成する機能と、該異常を検知することによりインターネット網を介してＩＳＰ（情報接続業者）に接続してＩＰアドレスを取得する回線する接続機能と、該取得したＩＰアドレスに基づいて前記セキュリティ対象の状態を表示するＷｅｂを開設・公開する機能とを備え、  前記記録・変更・更新されたデータベースの情報に基づいて前記セキュリティ対象に異常が生じたと判断された場合には、予め登録された携帯電話に対して前記取得したＩＰアドレス及び前記セキュリティ対象に異常が発生した旨の情報を通知する機能とを備えたことを特徴とする。
【０００９】
図１は本発明のセキュリティシステムの実施例の一例を示す図である。家庭内のセキュリティ対象１１または１２に変化（異常）が生じた場合、セキュリティ制御装置７はその変化に基づいてＩＳＰ（情報接続業者）１１に回線接続してＩＰアドレスを取得し、このＩＰアドレスに家庭内セキュリティの状態を表示するＷｅｂを開設・公開し、予め登録された携帯電話８１および８２に変化（異常）があったことと自宅Ｗｅｂが公開されているＩＰアドレスを通知する。利用者はセキュリティ制御装置７から通知があった場合、その携帯電話の閲覧機能を利用して直接またはＡＳＰ（携帯業者）１２およびＩＳＰ（情報接続業者）１１を経由して自宅のセキュリティ状態を表示しているＷｅｂを見て詳細を確認できるようにしたものである。
【００１０】
図２は図１に示した実施例の場合のセキュリティ制御装置７が具備すべき機能を示した図である。家庭内のセキュリティ対象にそれぞれ検知器１１、１２、１３、を設置し、各検知器出力を直接又はインターフェイス１０を介して有線あるいは無線手段を通じてセキュリティ制御装置（サーバＰＣ）７に入力する。セキュリティ対象に変化（異常）が発生すると該当検知器が作動し検知器出力が変化する。この検知器出力の変化を起因としてセキュリティ制御装置（サーバＰＣ）７はセキュリティ対象の状態を示すデータベースを更新（７１）し、公衆回線又はインターネット回線を通じてＩＳＰ（情報接続業者）１１に回線接続（７２）してＩＰアドレスを取得し、セキュリティ対象の状態を表示するＷｅｂを開設・公開（７３）し予め登録された携帯電話８に変化（異常）を通知（７４）する。実施例では携帯電話への通知はＩＳＰ（情報接続業者）１１およびＡＳＰ（携帯業者）１２を経由して行う方法で示してあるが、この携帯電話への通知は家庭内セキュリティ制御装置から直接行っても良い。利用者は通知された情報に基づいて携帯電話からＷｅｂサーバ（実施例では自宅のＰＣ（制御装置）７）にアクセスしセキュリティ対象の状態を確認することが出来る。その後利用者はしかるべき処置を取ることが可能となる。
【００１１】
図３は本発明のセキュリティシステムをＰＣ（パソコン）等セキュリティ制御装置内に必要な機能と、外部機器との接続環境等をもう少し詳しく示した概念図であり、ＡＳＰ（携帯業者）１２は情報が経由するのみであるのでこれを省略して示してある。また図４は本発明のセキュリティシステムの動作の流れを示した図である。
【００１２】
図３に示すセキュリティ対象検知器Ａ又は検知器Ｂのいずれかに変化（異常）が発生したら、該当する検出器の出力は直接又はインターフェイス１０を介してＰＣ（制御装置）７に入力される。ＰＣ（制御装置）７はこの異常を起因として予め組み込まれたＣＧＩ（Ｃｏｍｍｏｎ  Ｇａｔｅｗａｙ  Ｉｎｔｅｒｆａｃｅ）と呼ばれるプログラムを起動（図４の▲１▼）して該当するセキュリティ対象のセキュリティ状態を示すＤＢ（データベース）を変更更新（図４の▲２▼）し、そのデータベースをＨＴＭＬ（ＨｙｐｅｒＴｅｘｔ  Ｍａｒｋｕｐ  Ｌａｎｇｕａｇｅ）形式で書き込む。その後ＰＰＰ（Ｐｏｉｎｔ  ｔｏ  Ｐｏｉｎｔ  Ｐｒｏｔｏｃｏｌ）を起動し公衆回線にダイヤルアップまたはインターネット回線を通じてＩＳＰ（Ｉｎｆｏｒｍａｔｉｏｎ  Ｓｙｓｔｅｍ  Ｐｒｏｖｉｄｅｒ情報接続業者）１１に接続（図４の▲３▼）してＩＰアドレスを取得した後、ＨＴＴＰＤ（ＨｙｐｅｒＴｅｘｔ  Ｔｒａｎｓｆｅｒ  Ｐｒｏｔｏｃｏｌ  Ｄａｅｍｏｎ）を立ち上げＨＴＭＬ形式のデータベースを家庭内のセキュリティ状況を表示するＷｅｂを開設・公開（図４の▲４▼）すると共にＳＭＴＰ（Ｓｉｍｐｌｅ  Ｍａｉｌ  Ｔｒａｎｓｆｅｒ  Ｐｒｏｔｏｃｏｌ）を起動して予め登録された携帯電話８にＩＰアドレス及び自宅のセキュリティ対象の検知器に変化（異常）があった（つまりセキュリティ上の問題が発生した）ことをＥ−Ｍａｉｌで送信（図４の▲５▼）して利用者に知らせる。
【００１３】
携帯電話８には家庭内のセキュリティ状況を示すＷｅｂサーバのＩＰアドレスを通知するようにすれば、利用者がどこにいても携帯電話８からこのＩＰアドレスにアクセスしてＷｅｂを見ることが出来、家庭内のどこに変化（異常）があったかを知ることが出来る。携帯電話からＩＰアドレスにアクセスしてＷｅｂを見る動作は携帯電話８でインターネットホームページを閲覧するのと同じ要領であり、自宅のセキュリティ対象の検知器に変化（異常）があったことをＥ−Ｍａｉｌで送信したＡＳＰ（携帯業者）に限らなくても閲覧は可能である。
【００１４】
もちろんＩＰアドレスにアクセスしてＷｅｂを見る場合、盗聴や不正アクセスを防止するためＰＣ（制御装置）７はＩＤやパスワードを要求し本人であることを確認することで第３者による閲覧を防止することも可能である。図５（ａ）は携帯電話８に送られるＰＣ（制御装置）７からのＥ−Ｍａｉｌの表示例、（ｂ）はユーザ名、パスワード入力画面の表示例、及び（ｃ）は家庭内セキュリティ機器状態の表示例を示す。図５（ａ）の表示例ではＩＰアドレスが表示されており利用者はアンダーライン部分をクリックするとＷｅｂサーバ（実施例では自宅のＰＣ（制御装置）７）に接続される。同図（ｂ）は自宅のＰＣ（制御装置）７に接続された場合に予め登録された利用者を確認するための表示例で、利用者はユーザ名パスワードを入力して登録内容と一致すれば自宅内のセキュリティ対象機器の状況を見ることが出来る。同図（ｃ）はセキュリティ対象機器の状況表示の例である。この表示は簡単な例であるが、ドアホンに連動したビデオカメラ等を検知器の一つとして設置し、このカメラ映像をＷｅｂに載せるようにしておけば外出していても来客が誰であるかを知ることが出来、さらに検知器と携帯電話間に双方向性を持つようにしておけば携帯電話から来客に応対することも可能となる。また検知器の一つを家の中の様子を映し出せるようにしたビデオカメラとすれば、セキュリティ対象の変化（異常）によっては携帯電話からビデオカメラを動作させて映像をＷｅｂに載せることによって外に居ながらにして家の中で何が起きているのかを映像で確認することも出来る。
【００１５】
このようにセキュリティ対象機器の変化（異常）を知ることができ、変化（異常）の内容により必要な場合には警察署や消防署にアクセスし適切な処置をすることとなる。以上の実施例の説明では登録されている携帯電話は１台のみの印象を与えるが、登録さえしておけば１台に限定されることは無く、家族全員の携帯電話を登録しておくことにより複数人にセキュリティ異常があったことを知らせることが出来る。複数人を登録した場合、セキュリティ異常を同時に知らせる方法でも、優先順位をつけ先ず優先度の高い人に通知し、その人からＷｅｂ確認の行動がない場合に順次次の順位の人に通知するようにしても良い。このようにすればセキュリティ確保の確実性がさらに高まる効果を期待できる。
【００１６】
図６は携帯電話８からＷｅｂサーバ（実施例では自宅のＰＣ（制御装置）７）にアクセスし、公開されたＷｅｂに接続した後の処理の流れを示す図である。図６における制御や信号の流れを示す矢印の向きは図３とは異なる。図３ではセキュリティ対象の変化（異常）が生じてから携帯電話８に通知するまでの動作を分かりやすくするため、情報や信号の流れや制御の方向を矢印で示したがこれらは一方向性でなければならない理由はなく必要に応じて双方向であったほうがよい。つまり変化（異常）を確認処置した後は、携帯電話８からＷｅｂを介してＰＣ（制御装置）７に指示し、セキュリティ対象の状態を示すデータベース（ＤＢ）を初期設定に戻したり、異常が生じたセキュリティ対象機器１の動作環境を元に戻すようにすることも可能である。
【００１７】
利用者がＷｅｂサーバ（実施例では自宅のＰＣ（制御装置）７）に公開されているＷｅｂを閲覧して目的を達成した後は、第３者にこのＷｅｂを閲覧されないようにするためＷｅｂ公開を切断したほうがよい。Ｗｅｂ公開の切断は携帯電話８から指示して利用者の意思で行ってもよく、利用者からのアクセスがあり閲覧を終え携帯電話８が切断されたらＷｅｂ公開を自動的に切断するようにしてもよい。
【００１８】
ところで図５（ａ）に示すセキュリティに変化（異常）が発生した情報（Ｅ−Ｍａｉｌ）を受け取っても利用者が止むを得えない事情でＰＣ（制御装置）７にアクセス出来ない場合や、図５（ａ）に示すセキュリティに変化（異常）が発生した情報（Ｅ−Ｍａｉｌ）を受け取って、ＰＣ（制御装置）７にアクセスしても同図（ｂ）に示すユーザ名やパスワードを忘れて入力できなかったり、誤ったりする場合も生じうる。この場合も自宅のＰＣ（制御装置）７はインターネット回線に接続したままとなるためＷｅｂページは取得したＩＰアドレスのまま公開され続け、第３者に閲覧されてしまう可能性が生じる。
【００１９】
この不具合を解決する方法を図７に示す。図７の▲３▼、▲４▼、▲５▼は図４の▲３▼、▲４▼、▲５▼と同じ動作を示す。この場合予め設定した時間が経過しても公開されたＷｅｂに登録された無線機器からアクセスが無い場合▲６▼には、回線を切断してｗｅｂの公開を止め（つまりインターネットの接続を切断する）▲７▼、改めてＩＳＰ（情報接続業者）に公衆回線等を通じ再接続して新しいＩＰアドレスを再取得する▲８▼。この新しいＩＰアドレスの取得後はＷｅｂを再度開設・公開し▲９▼、この新しいＩＰアドレスを携帯電話にＭａｉｌで通知する（１０）は、図３の説明および図４の▲４▼〜▲５▼で説明したのと同じである。このようにすればＩＳＰ（情報接続業者）に接続する度にＩＰアドレスは新しくなるので、長時間同じＩＰアドレスでＷｅｂを公開したままとはならず第３者に閲覧されることを防げる。
【００２０】
またセキュリティ対象の検知器の変化（異常）を携帯電話に通知する際に、変化（異常）があったセキュリティ対象機器、変化（異常）があった時刻、Ｅ−Ｍａｉｌで携帯電話に通知したＩＰアドレスや通知した時刻、携帯電話からＷｅｂにアクセスされた時刻、インターネット切断の時刻、Ｗｅｂにアクセスされなかった場合のインターネット切断時刻、Ｅ−Ｍａｉｌ再送信のＩＰアドレスや再送信時刻等の履歴をデータベースに記録しておくと本発明のセキュリティシステムの動作履歴を後から追跡できさらに利便性が向上する。
上述した本発明の実施例での説明では、セキュリティ対象の状態を示すＷｅｂの開設・公開を家庭内サーバで行う例で示したが、セキュリティ対象の状態を示すＷｅｂの開設・公開を予め情報接続業者（プロバイダ等）と契約し情報接続業者（プロバイダ等）のサーバ上に開設・公開することも可能であることは言うまでも無い。セキュリティ対象に異常が生じた場合家庭内セキュリティ制御装置は該セキュリティ対象の状態を示すデータベースを更新し、公衆回線等を通じて情報接続業者（プロバイダ等）に接続して少なくとも更新後のデータベースを情報接続業者（プロバイダ等）のサーバ上に記録し、セキュリティ対象の状態を示すＷｅｂの開設・公開を該情報接続業者（プロバイダ等）のサーバ上で行う方法である。このようにすると情報接続業者（プロバイダ等）のサーバ上に記録が残り、例えば侵入者が家庭内セキュリティ制御装置の存在を知ってこの制御装置を破壊したり、あるいは火災で家庭内にあるセキュリティ制御装置が焼失しても後から追跡できる効果を期待できる。
【００２１】
以上説明した本発明のセキュリティシステムにおいてセキュリティ制御装置７がパソコン等コンピュータであれば図２、図３、図４で示した機能、動作はプログラムソフトウェアで実現でき、本発明のセキュリティシステムの制御もソフトウェアプログラムにより図２、図３、図４で示した機能を有機的に働かせて実現できることは言うまでもない。
【００２２】
また上述した本発明のセキュリティシステムをパソコンで働かせる場合のソフトウェアプログラムはインターネット上で流通させたり、ＣＤ−ＲＯＭやＤＶＤ−ＲＯＭディスク等のパッケージメディアで流通させれば広く利用することが出来る。
【００２３】
【発明の効果】
以上説明したごとく、本発明によれば家庭内のセキュリティ対象に変化（異常）が生じた場合、その変化（異常）が生じた事が予め登録された利用者の無線機器（たとえば携帯電話）に通知されるので、利用者はその通知に基づいて自宅外から携帯電話を使ったインターネット機能を利用して自宅の家庭内のセキュリティ対象の状態を確認することができ、従来例のように常時人が介在する必要が無く安価で簡便なセキュリティシステムを構築することが出来る。
【図面の簡単な説明】
【図１】本発明によるセキュリティシステムの構成図。
【図２】本発明の実施例を示す図で本発明のセキュリティシステムが必要とする機能と構成を示す図。
【図３】図２に示した本発明の実施例の機能と動作を詳しく説明するため概念の図。
【図４】本発明によるセキュリティシステムの動作手順を説明するための図。
【図５】本発明による携帯電話に表示される画面の１例を示す図。
【図６】本発明の実施例を示す図で携帯電話から自宅の機器制御の動作を説明するための図。
【図７】本発明の動作を説明するための図。
【図８】従来技術である警備保障会社のセキュリティシステムの図。
【符号の説明】
１  セキュリティ対象の検知器
１１、１２、１３  セキュリティ対象の検知器
７  セキュリティ制御装置
（７１）  データベース更新機能
（７２）  回線接続機能
（７３）  Ｗｅｂ開設、公開機能
（７４）  携帯への通知機能
８  携帯電話
１０  インターフェイス
１１  ＩＳＰ（情報接続業者）
１２  ＡＳＰ（携帯業者）
【図１】
0004129719.tif 000002
【図２】
0004129719.tif 000003
【図３】
0004129719.tif 000004
【図４】
0004129719.tif 000005
【図５】
0004129719.tif 000006
【図６】
0004129719.tif 000007
【図７】
0004129719.tif 000008
【図８】
0004129719.tif 000009